(57)【要約】【課題】部屋内面を構成する壁や床、天井となる内装材として、冷暖房機能を備え、簡素な構造であり、軽量で取り扱いの容易となる建築物用内装材を提供する。【解決手段】表面板３と裏面板１５とを具備し内部空間１７を有するパネル構造よりなる建築物用内装材１であって、各セル２０の壁２０ａに貫通孔２１が穿設され、各セル２０に空気が通過自在とされるハニカム構造体１９が、内部空間１７に配置され、表面板３と裏面板１５とに挟設されるとともに、内部空間１７に、貫通孔２１に連通し各セル２０に空気を流入させる流入空間２３と、各セル２０を通過した空気を外部へ排出させる流出空間２５とを具備し、流入空間２３には温度調整された空気が外部から供給される供給口２７が設けられ、流出空間２５には各セル２０通過後の空気を排出させる排出口２９が設けられており、少なくとも表面板３を熱放射面として部屋内面を構成する。【選択図】        図２
2011226205.tif 000002
【特許請求の範囲】
【請求項１】
表面板と裏面板とを具備し内部空間を有するパネル構造よりなる建築物用内装材であって、
ハニカムを構成する各セルの壁に貫通孔が穿設され、各セルに流体が通過自在とされるハニカム構造体が、前記内部空間に配置され、前記表面板と裏面板とに挟設されるとともに、該内部空間に、前記貫通孔に連通し前記各セルに流体を流入させる流入空間と、前記各セルを通過した前記流体を外部へ排出させる流出空間とを具備し、
前記流入空間には温度調整された流体が外部から供給される供給口が設けられ、
前記流出空間には各セル通過後の流体を排出させる排出口が設けられており、
前記表裏面板の少なくとも一方の面板を熱放射面として部屋内面を構成することを特徴とする建築物用内装材。
【請求項２】
前記裏面板が断熱材で構成され、前記表面板が熱放射面となることを特徴とする請求項１記載の建築物用内装材。
【請求項３】
前記表面板と裏面板の両面板が前記熱放射面とされることを特徴とする請求項１記載の建築物用内装材。
【請求項４】
前記供給口と前記排出口は、複数の前記建築物用内装材を互いに連結する際の連結面となる側面に配設されるとともに、該供給口と排出口とがそれぞれ一対づつで構成されており、前記建築物用内装材を、隣接する他の建築物用内装材と連結する際に、互いの供給口同士及び排出口同士が連結可能となる受口と挿口の組合せで構成され、隣接する各建築物用内装材の前記流入空間同士及び前記流出空間同士を連通配置とすることを特徴とする請求項１，２，３のいずれか１つに記載の建築物用内装材。
【請求項５】
前記請求項１，２，３，４のいずれか１つに記載の建築物用内装材を用い、該建築物用内装材を複数並設して前記熱放射面を備えた壁面を構成するとともに、前記各供給口を連結して各建築物用内装材の内部空間へ前記流体を供給し、且つ前記各排出口を連結して各建築物用内装材から前記流体を排出して、前記壁面にて室内への放射熱よりなる冷暖房を行うことを特徴とする建築物用内装材を用いた壁体の構造。
【請求項６】
前記熱放射面およびまたは前記流体の通る内部空間に温度検出手段を設けるとともに、該温度検出手段の計測結果に基づき、前記供給口へ供給される流体の温度を制御する制御手段を設けることを特徴とする請求項５記載の建築物用内装材を用いた壁体の構造。
【請求項７】
前記部屋内面となる面板の表面の湿度を計測する湿度検出手段が設けられていることを特徴とする請求項５または６記載の建築物用内装材を用いた壁体の構造。
【発明の詳細な説明】
【技術分野】
【０００１】
本発明は、放射熱源の機能を備え、室内面を構成する壁、或いは天井や床などとなる建築用内装材と、この建築用内装材を用いて室内の冷暖房を行うことを可能とする壁体の構造に関するものである。
【背景技術】
【０００２】
病院や病院内の手術室などの医療施設、教育施設や福祉施設、食品を扱う給食センター、食品工場、レストランやホテルなどの厨房、或いは研究施設や精密工場などの屋内空間において、冷暖房を行う設備としては空調機器を設置するが、一般的な空調設備は、温度制御された空気を室内へ送り出す、所謂対流式のものである。しかしながら、空調機器が出す空気の流れは、室内空間において風を発生するものであり、その風は室内にいる者にとって不快である場合が多く、また埃が舞うなどの不具合もある。特に上記した各施設などにおいては、長時間、身体に風を受けることがあり、冷房であれば冷風が、暖房であれば温風が直接身体に当り、これがストレスとなる。
【０００３】
また、上記のような冷暖房装置においては、室内外の気温差や、室内雰囲気、特に湿度によって、室内壁面や天井面に結露を起こすことがあり、カビの発生や細菌の発生を促すおそれがある。このようなカビや細菌が発生した状態で、空調機器の風があれば、室内での細菌の撹拌を起こすおそれもあり、室内空間として非常に非衛生的である。さらに、結露で生じる滴にＯ−１５７などの細菌が存在する場合に、天井から滴り落ちて調理中の器内に紛れ込むようなこともあり、結露を防止する工夫が望まれていた。
【０００４】
このような不具合を解消する装置として、下記特許文献１のような床暖房装置などが案出されている。すなわち床面に埋設されパイプにて温水を導き床自体を暖め、その放射熱によって暖房を行う所謂放射式空調装置である。また、通電により加温する発熱体を床材に設け床面からの暖房とするものもある。
このような床暖房装置では、室内において風が発生せず、上述したような不快なことがなく、すなわち埃が舞うことや直接風が身体に当たることなどなく、室内を暖めることが可能となり、さらには対流式空調に特有の風の音や吹き出し音が無く、快適な暖房を可能とする。
また、このような配管構造によれば、温水ではなく冷水を流すことで、冷房とすることも可能である。
【先行技術文献】
【特許文献】
【０００５】
【特許文献１】特開平０８−２６１４８２号公報
【発明の概要】
【発明が解決しようとする課題】
【０００６】
しかしながら、上述した従来の床暖房装置などの放射式空調装置は、床などの建物構造部分に水などの液体を循環させる細径なパイプを配管したり、或いは電熱線を配置構成する構造とされ、床面を構成した場合に、この床面に対して外的負荷での変形や損傷などを受けやすく、また、温水パイプ構造の場合に経年変化で目詰まりを起こせば暖房機能を得られず、このような不具合に対して保守や点検が必要となるが、床面に埋設状態な構造であり、床面全体で暖房装置を構成していることで、一部分のみを改修することができず、床面全体に対しての大掛かりな補修工事が発生し、保守や点検などの施工を容易には実現できない欠点がある。
【０００７】
また、温水配管構造として、天井面に暖房装置として構成させた場合には、天井に温水が巡ることになり、その重量を支持する構造が必要となるとともに、パイプの損傷などが起これば室内への水漏れ事故となるおそれもあり、簡素な構造で有効な暖房構造が望まれていた。
さらに、上記した暖房装置では、天井面や壁面などの全体に構成させる場合に、温水を通すパイプを配管することとなるが、その配管施工は非常に煩雑であり、壁面や床面などの隅々まで有効な暖房効果を得るように巡らせるのは容易ではないという欠点を有する。
【０００８】
そこで本発明は、上記問題点を解消するために、部屋内面を構成する壁や床、天井となる内装材として、冷暖房機能を付加できる機能を備え、簡素な構造であり、軽量で取り扱いの容易となる建築物用内装材を提供するとともに、この建築物用内装材を用いて施設や家屋などの室内において容易に冷暖房機能を備えた壁体の構造を提供することを目的としている。
【課題を解決するための手段】
【０００９】
次に、上記の課題を解決するための手段を、実施の形態に対応する図面を参照して説明する。
この発明の請求項１記載の建築物用内装材は、表面板３，５７と裏面板１５とを具備し内部空間１７を有するパネル構造よりなる建築物用内装材１，４１であって、
ハニカムを構成する各セル２０の壁２０ａに貫通孔２１が穿設され、各セル２０に流体が通過自在とされるハニカム構造体１９，５５が、前記内部空間１７に配置され、前記表面板３，５７と裏面板１５とに挟設されるとともに、該内部空間１７に、前記貫通孔２１に連通し前記各セル２０に流体を流入させる流入空間２３と、前記各セル２０を通過した前記流体を外部へ排出させる流出空間２５とを具備し、
前記流入空間２３には温度調整された流体が外部から供給される供給口２７が設けられ、
前記流出空間２５には各セル２０通過後の流体を排出させる排出口２９が設けられており、
前記表裏面板３，５７，１５の少なくとも一方の面板を熱放射面として部屋内面を構成することを特徴とする。
【００１０】
この建築物用内装材では、熱源装置などで温度調整される空気などの流体を、供給口２７より供給すると、流入空間２３を通り、ハニカム構造体１９，５５の各セル２０内へと流入する。そして各セル２０に流入する流体の温度が表裏面板３，５７，１５に伝導し、これら面板を熱放射面とし、部屋内の温度制御、すなわち暖房や冷房を行う。各セル２０を通過する流体は、流出空間２５を介し排出口２９から排出となる。この建築物用内装材１，４１は、室内を構成する壁面３１や天井面３３、或いは床面として構成され、各面より室内に対して暖房や冷房を熱放射にて行うこととなる。
【００１１】
請求項２記載の建築物用内装材は、請求項１記載の建築物用内装材１，４１であって、前記裏面板１５が断熱材で構成され、前記表面板３，５７が熱放射面となることを特徴とする。
【００１２】
この建築物用内装材では、一方の面板である表面板３，５７を熱放射面とし、裏面板１５を断熱材で構成することで、表面板３，５７側からのみ熱放射が行われる内装材１，４１となり、室内壁面などを構成する際に、室内側への効率の良い熱放射が行われる。
【００１３】
請求項３記載の建築物用内装材は、請求項１記載の建築物用内装材であって、前記表面板３，５７と裏面板１５の両面板が前記熱放射面とされることを特徴とする。
【００１４】
この建築物用内装材では、表裏両面板３，５７，１５が熱放射面となるので、例えば室内における間仕切りとして有効である。
【００１５】
請求項４記載の建築物用内装材は、請求項１，２，３のいずれか１つに記載の建築物用内装材であって、前記供給口２７と前記排出口２９は、複数の前記建築物用内装材４１を互いに連結する際の連結面となる側面に配設されるとともに、該供給口２７と排出口２９とがそれぞれ一対づつで構成されており、前記建築物用内装材４１を、隣接する他の建築物用内装材４１と連結する際に、互いの供給口２７同士及び排出口２９同士が連結可能となる受口と挿口の組合せで構成され、隣接する各建築物用内装材４１の前記流入空間２３同士及び前記流出空間２５同士を連通配置とすることを特徴とする。
【００１６】
この建築物用内装材では、隣接する他の内装材４１との連結時に、受口と挿口との組合せで構成される各供給口２７及び各排出口２９が互いに連結され、各内装材４１の流入空間２３及び流出空間２５が連通状態となって略一体化構造となる。壁面として構築しやすく、また、配管の煩雑さが減ることとなる。
【００１７】
この発明の請求項５記載の建築物用内装材を用いた壁体の構造は、前記請求項１，２，３，４のいずれか１つに記載の建築物用内装材１，４１を用い、該建築物用内装材１，４１を複数並設して前記熱放射面を備えた壁面を構成するとともに、前記各供給口２７を連結して各建築物用内装材１，４１の内部空間１７へ前記流体を供給し、且つ前記各排出口２９を連結して各建築物用内装材１，４１から前記流体を排出して、前記壁面にて室内への放射熱よりなる冷暖房を行うことを特徴とする。
【００１８】
この建築物用内装材を用いた壁体の構造では、上記建築物用内装材を複数並設し、それぞれの供給口２７、及びそれぞれの排出口２９を配管などにて連結して、壁面を構成し、各内装材１，４１による熱放射面を室内壁面とする。そして各供給口２７に対して温度調整された空気などの流体を供給し、各内装材１，４１のハニカム構造体１９，５５へと流入させる。流入する流体によって、各内装材の面板３，５７，１５より放射熱で室内への冷暖房が行われる。また各排出口２９より流体は外部へ流出となる。
【００１９】
請求項６記載の建築物用内装材を用いた壁体の構造は、請求項５記載の建築物用内装材を用いた壁体の構造であって、前記熱放射面およびまたは前記流体の通る内部空間１７に温度検出手段を設けるとともに、該温度検出手段の計測結果に基づき、前記供給口２７へ供給される流体の温度を制御する制御手段を設けることを特徴とする。
【００２０】
この建築物用内装材を用いた壁体の構造では、温度検出手段により、内装材１，４１の発熱状態が検知でき、室温制御を可能とする。
【００２１】
請求項７記載の建築物用内装材を用いた壁体の構造は、請求項５または６記載の建築物用内装材を用いた壁体の構造であって、前記部屋内面となる面板３，５７，１５の表面の湿度を計測する湿度検出手段が設けられていることを特徴とする。
【００２２】
この建築物用内装材を用いた壁体の構造では、湿度検出手段により、内装材が結露しているか否かを判断でき、この結露の防止を可能とする。
【発明の効果】
【００２３】
本発明による請求項１記載の建築物用内装材によれば、ハニカム構造体を内蔵するパネル構造としたことで軽量化を図ることができるとともに、このハニカム構造体により面荷重に強く、平坦度の高い内装材を得ることが可能となり、従来のような温水を巡らせる配管構造を内設することなく、各ハニカムを貫通孔で連通状態として流体を流れる構成としたので、構造がシンプルなものとなり取り扱いが容易なものとなる。そして温度調整された流体を貫通孔を介して各ハニカムのセルに供給し、この流体の温度が熱伝導により面板を介し、放射熱となって暖房効果や冷房効果を得られる内装材とされ、建築物の壁面や天井面、床面を構成することができる。また、この建築物用内装材では、ハニカム構造体の各セルに流体が供給されて面板を加温或いは冷却できることから熱応答性を高く構成でき、特にこのハニカム構造体をアルミニウムなどの金属素材を用いることによって暖房時、或いは冷房時に供給する流体の温度にすばやく対応して表面板を所定の温度とすることができ、室内の温度を放射熱によって制御可能、すなわち、すばやく冷房や暖房を行うことが可能となる。また、この建築物用内装材では、風が発生せず音も発生しないことから、室内においてのストレスが無く、快適な熱放射型空調機器として有効なものとなる。
【００２４】
請求項２記載の建築物用内装材によれば、表面板を熱放射面とし、裏面板を断熱材とする構成としたので、内装材として一方の面からのみ熱放射が行われるものとなり、室内壁面などを構成すると、室内側への効率の良い熱放射が行われる。
【００２５】
請求項３記載の建築物用内装材によれば、表裏両面板が熱放射面となるので、例えば室内における間仕切りとして有効である。
【００２６】
請求項４記載の建築物用内装材によれば、隣接する他の内装材との連結時に、受口と挿口との組合せで構成される各供給口及び各排出口で互いに連結することができ、各内装材の流入空間及び流出空間を連通状態として略一体化構造とすることができる。この連結構造を備えることで、各内装材への配管の煩雑さが減ることとなり、壁面として構築しやすくなる。
【００２７】
請求項５記載の建築物用内装材を用いた壁体の構造によれば、上記建築物用内装材を複数並設し、それぞれの供給口、及びそれぞれの排出口を配管などにて連結して壁面を構成し、各内装材による熱放射面を室内壁面とすることができ、この熱放射面にて暖房や冷房を行うことが可能となる。この室内壁面としては、垂直壁面の他に水平壁面である天井面、さらに床面であり、各面からの放射熱で、無風で騒音の無い快適な熱放射式空調を得ることができる。
【００２８】
請求項６記載の建築物用内装材を用いた壁体の構造によれば、温度検出手段を設けることにより、壁体を構成する内装材の温度状態を検知することができ、すなわち室温制御を可能とする。
【００２９】
請求項７記載の建築物用内装材を用いた壁体の構造によれば、湿度検出手段を設けることにより、壁体を構成する内装材が結露しているか否かを判断でき、この結露の防止を可能とする。
【図面の簡単な説明】
【００３０】
【図１】本発明に係る建築物用内装材の一部破断正面図を（ａ）にＡ−Ａ線断面図を（ｂ）に示した図である。
【図２】同建築物用内装材の一部破断斜視図である。
【図３】本発明に係る建築物用内装材を用いた壁体の構造として室内面を示した概略斜視図である。
【図４】建築物用内装材を構成するハニカム構造体内における流体（空気）の流れを示した概念図である。
【図５】本発明に係る他の実施形態の建築物用内装材の分解斜視図である。
【図６】同建築物用内装材を構成するハニカム構造体の斜視図である。
【図７】同建築物用内装材の斜視図である。
【図８】図７のＢ−Ｂ断面図を（ａ）、Ｃ−Ｃ断面図を（ｂ）に示した図である。
【図９】同建築物用内装材を用いた壁体としての天井面の構造を示した斜視図である。
【発明を実施するための形態】
【００３１】
本発明の建築物用内装材は、例えばレストランなどの厨房や、研究施設、或いは家屋などの屋内に設置されるもので、パネル状に構成される部材などとされ、内壁面や天井面、床面などを構成する。
始めに、建築物の内壁面となる建築物用内装材としての壁面用パネルについて説明する。
【００３２】
本実施の形態の建築物用内装材としての壁面用パネル１は、図１に示すように、方形状に形成された熱伝導率の良好な金属板、本実施の形態では上下方向に長尺な略短冊状で厚さ０．４ｍｍのステンレス鋼板よりなる板体本体３を表面板とし、この板体本体３の左右幅方向となる一方向の対向する各辺に、板体本体３の裏面側方向に直角に折曲形成される左右フランジ５，７がそれぞれ突設されている。これら左右フランジ５，７の先端縁には、外方向に直角に折曲形成されて、板体本体３の板面と平行となる固定片９が鐔状に形成されている。また、板体本体３の上下高さ方向となって対向する各辺にも、板体本体３の裏面側方向に直角に折曲形成される上下フランジ１１，１３が突設され、すなわち略方形箱状に形成される。
【００３３】
なお、この板体本体３の材質は、上記したように熱伝導率の良好な金属が好ましく、アルミニウムやステンレス等の金属材料とされるが、その他、ガラスや樹脂、木材などの非金属材料として構成しても良い。また、金属板としては樹脂塗膜が施されたカラー鋼板など意匠性を有する金属板や、上記した異種素材を複合した板材で構成してもよい。
【００３４】
壁面用パネル１を構成する裏面板１５は、断熱材とされ、板体本体３の裏面に、フランジ間となって、且つ板体本体３とに所定間隔の空間を介して配置される。この断熱材１５は、本実施の形態では、厚さ２０ｍｍの断熱性，不燃性等が良好なウレタンフォームや積層グラスファイバーよりなる。
【００３５】
板体本体３と断熱材１５との間となり各フランジ５，７，１１，１３とで囲まれる内部空間１７には、ハニカム構造体１９が設けられる。このハニカム構造体１９の金属材料はアルミニウムである。また板体本体３はアルミニウム、ステンレスや銅等が用いられる。また、金属以外に、樹脂や紙などとしてもよい。樹脂素材としては、例えばポリエステル、ナイロン、アクリル系樹脂、ポリオレフィン、塩化ビニル系樹脂などが用いられる。また、紙素材の場合は樹脂含浸した紙などを用いる。
【００３６】
ハニカム構造体１９としての厚みは設計される壁厚によるが、本実施の形態では２０ｍｍとされる。なお、本実施の形態では、ハニカム構造体１９と裏面板である断熱材１５との間に裏板としてアルミ板が固着される。
【００３７】
また、図２に示すように、このハニカムを構成する各セル２０の壁２０ａには貫通孔２１が穿設されている。この貫通孔２１は、セル２０を構成する６つの壁２０ａの全てに設けられても良く、或いは任意の壁２０ａに穿設されることとしてもよいが、各セル２０同士で貫通し後述する流体が通過可能となるように設けられる。
【００３８】
板体本体３と断熱材１５との間の内部空間１７におけるハニカム構造体１９の側部、本実施の形態ではハニカム構造体１９の左右側部と左右フランジ５，７との間には、それぞれ空間を有した構造となっている。これら空間は、断面略矩形で左右フランジ５，７に沿って流路状に形成されており、一方の空間を流入空間２３、他方の空間を流出空間２５とされる。これら流入空間２３と流出空間２５は、ハニカム構造体１９の各ハニカムセル２０の貫通孔２１に連通状態され、すなわちハニカムを介在した状態で両空間２３，２５が貫通孔２１で連通し、流体は貫通孔２１を介し各セル２０を通過自在となる。
【００３９】
流入空間２３には供給口２７が設けられ、この供給口２７を介して流体が壁面用パネル１の外部から供給される。この供給口２７には、後述する流体としての空気が温度調整されて送り込まれる。また、流出空間２５には排出口２９が設けられ、壁面用パネル１内部、すなわちハニカム構造体１９の各セル２０を通過した空気が流出空間２５から外部へと排出される。本実施の形態では、供給口２７は流入空間２３の上方に位置し、排出口２９は流出空間２５の下方に位置した構成とされている。
【００４０】
このように構成された壁面用パネル１は、室内壁面における建物内面としての下地面の施工が終了した建物に対し、各種幅長及び各種高さに予め形成される壁面用パネル１をこの下地壁面に沿わせて立てかける。そして、この壁面用パネル１に、隣接させる次の壁面用パネル１を並列させて立てかけ、両壁面用パネル１の固定片９を重合させながら固定手段としてのネジ釘にて下地壁面へ固定する。なお、図示しないが、固定された固定片と両パネル１の対向するフランジとの三面で形成される凹溝状の継ぎ目目地内には、表側から目地材が挿入されることで、建築物の内壁面として平滑な壁体が形成されることとなる（図３参照）。
なお、図３に示すように、壁面３１のみではなく天井面３３にもこの内装材である壁面用パネル１を配設することとしてもよい。
【００４１】
また、図示しないが、各壁面用パネル１の供給口２７及び排出口２９は、それぞれが室外にて配管連結される。各壁面用パネル１の供給口２７には流体としての空気を供給する熱源装置が配管接続される。
熱源装置は室外の所定の場所に設置され、外気を取り込んで温度調整し、すなわち所望の温度に加温された或いは冷却された空気を送出する。熱源装置は、壁面用パネル１が設置される建築物の規模や用途によって異なるが、例えばヒートポンプや吸収式冷温水機などの機器とされており、すなわち１つの熱源で冷房と暖房とを行うことが可能となる。その他の熱源装置としては、暖房であればボイラーや電熱機器を設置して供給口２７へ熱風を送り込む構成や、冷房であれば冷熱源として遠心冷凍機などの冷却装置が接続されて供給口２７に冷風を送り込む構成とされる。
【００４２】
そして、図４の概念図に示すように、供給口２７から供給される温度制御された空気は、流入空間２３を経て各ハニカムの貫通孔２１を通過して、その空気の温度を表面板３へと伝導させながら、各セル２０を通過し流出空間２５へと流れ、排出口２９から排気となる。なお、この排出口２９、或いは排出口２９に接続される配管の途中などに排気ファンを設け、強制排気としてもよい。
【００４３】
従ってこのように構成された壁面用パネル１では、ハニカム構造体１９を内蔵することで、パネル構造として軽量化を図ることができ、また面荷重に強く、平坦度の高いパネル内装材を得ることができ、従来のような温水を巡らせる配管構造などを内設することなく、各ハニカムを貫通孔２１で連通状態とした、構造がシンプルなものとなり、所望の面積を有するパネル状の内装材１を構成できる。そしてそれらを組み合わせることで壁体の構造として構成し建物の内壁面３１，３３の全面を被覆構成することができ、その面全体が熱源から供給される空気により表面板３より放射熱源となり、この壁面用パネル１が設置された室内の暖房、或いは冷房を行うことが可能となる。
【００４４】
また、この壁面用パネル１では、アルミニウムやステンレスなどの金属素材を用いることで、熱応答性が高く、暖房時、或いは冷房時に、供給される空気の温度にすばやく対応して表面板３及び壁面全面を所定の温度とし、室内の温度を放射熱によって制御可能、すなわち、すばやく冷房や暖房を行うことが可能となる。また風が発生せず音も発生しないことから、室内においてのストレスが無く、快適な熱放射型空調機器として有効なものとなる。さらに、熱源となる流体を空気としたことで、構造体として堅牢な構造を不要とし、簡素な構成で実現でき、耐久性能を向上させることが可能となるとともに、室内壁面として容易に構築でき、このことから既設の家屋に後加工で冷暖房機能を備えた内装材を構成させることも可能となる。
【００４５】
なお、上述した壁面用パネル１には、温度検出手段としての温度センサや湿度検出手段としての湿度センサを設ける構成とすることもできる。すなわち、壁面用パネル１を構成する板体本体３の表面や裏面、流入空間２３や流出空間２５、ハニカム構造体１９の任意の箇所など空気の流れの途中となる箇所に温度センサを設け、また室内面となる板体本体３の表面の任意の箇所に湿度センサを設け、これら温度センサ，湿度センサを制御手段としての温度コントローラー回路等に接続し、各センサから出力される値により熱源装置の制御を行って壁面用パネル１の発する温度の制御を行う構成とする。これにより、壁面用パネル１による放射温度が制御されて室内の温度制御が可能となり、また、パネル自体を温度制御することからパネル表面の結露が防止されることとなる。
【００４６】
また、上述した壁面用パネル１の供給口２７及び排出口２９の形成位置については、流入空間２３及び流出空間２５における任意の位置でも良く、また、各空間２３，２５において流れをスムーズにするためにフィンなどを適宜設けることとしても良い。
【００４７】
次に、本発明の建築物用内装材を天井パネルとして構成する例について説明する。なお、上記壁面用パネル１と同等の箇所には同一符号を付して説明を省略する。
図５に示すように、この実施の形態の天井パネル４１は、ハニカム構造体と、裏面板としての断熱材と、枠体とで略構成されている。
【００４８】
枠体４３は、図５に示すように、左右及び前後の枠部材４５，４７，４９，５１で構成される矩形枠組み構造よりなる。各枠部材４５，４７，４８，５１は、垂直部４５ａ，４７ａ，４９ａ，５１ａと水平部４５ｂ，４７ｂ，４９ｂ，５１ｂとで断面Ｌ字状に形成され、各枠部材４５，４７，４８，５１の垂直部４５ａ，４７ａ，４９ａ，５１ａは同寸法に形成されており、水平部４５ｂ，４７ｂ，４９ｂ，５１ｂの先端縁がそれぞれ内方向となって各垂直部４５ａ，４７ａ，４９ａ，５１ａの各両端部を接合することで矩形状に構成される。
これら枠部材４５，４７，４８，５１の左右の枠部材４５，４７は、前後の枠部材４９，５１に比べて水平部４５ｂ，４７ｂが幅広に形成されている（図６参照）。また、前後の枠部材４９，５１には垂直部４９ａ，５１ａの両端近傍に貫通穴５３，５４が形成されている。そしてこれら枠体４３の内側にハニカム構造体５５と断熱材１５とが収容される。
【００４９】
この実施の形態のハニカム構造体５５は、図６に示すように、各セル２０の壁２０ａに複数の貫通孔２１を備えた構成とされる。このハニカム構造体５５には、表面側と裏面側とに面板５７，５９が固着され一体化構造となっており、表面側の面板５７は天井パネルとしての表面板５７を兼ね、室内天井面として表出する。また裏面側の面板５９は断熱材１５が密着し固着する。
【００５０】
ハニカム構造体５５と断熱材１５とは、枠体４３に収容され、すなわち枠部材４５，４７，４９，５１の垂直部４５ａ，４７ａ，４９ａ，５１ａの高さ以内に納められ一体化される。断熱材１５は、枠体４３の内寸法と同等に成形されており、各枠部材４５，４７，４９，５１の内側面に配設される。断熱材１５と各枠部材４５，４７，４９，５１の水平部４５ｂ，４７ｂ，４９ｂ，５１ｂとの間にハニカム構造体５５が収容配置され、前後枠部材４９，５１の水平部４９ｂ，５１ｂ及び垂直部４９ａ，５１ａとは隙間無く収容され（図７（ｂ）参照）、左右枠部材４５，４７の垂直部４５ａ，４７ａ及び水平部４５ｂ，４７ｂと断熱材１５との間はそれぞれ空間が形成される。これら空間のうち一方の空間は流入空間２３とされ、他方の空間は流出空間２５とされる。
【００５１】
流入空間２３及び流出空間２５の枠部材４５，４７に沿う長手方向両端は、前後枠部材４９，５１の垂直部４９ａ，５１ａに穿設された貫通穴５３，５４が位置する。流入空間２３に連通する前後の枠部材４９，５１に形成された各貫通穴５３は、供給口２７とされる。これら供給口２７は、隣接し連結される他の天井パネル４１の供給口２７とで互いに連結可能となる挿口と受口との組合せとなるように、一方の枠部材である前部枠部材４９には挿口形状の供給口２７を、他方の枠部材である後部枠部材５１には受口形状の供給口２７が設けられる。また、流出空間２５に連通する前後の枠部材４９，５１に形成された各貫通穴５３，５４は、排出口２９とされ、供給口２７同様に、隣接し連結される他の天井パネル１の排出口２９とで互いに連結可能となる挿口と受口との組合せとなり、一方の枠部材である前部枠部材４９には挿口形状の排出口２９を、他方の枠部材である後部枠部材５１には受口形状の排出口２９が設けられる。
【００５２】
そして、これら流入空間２３と流出空間２５とは、ハニカム構造体５５の各ハニカムの壁２０ａに穿設された貫通孔２１と連通する。
【００５３】
なお、この実施の形態の天井パネル４１は、流入空間２３側の枠部材４５の水平部４５ｂとハニカム構造体５５の表面板５７との間に微小な噴出口、例えばスリット状に形成される噴出口５９が形成され、流入空間２３内に供給される空気の一部を表面板５７に向けて噴出できるよう構成されている。
【００５４】
このように構成された天井パネル４１は、室内における天井面３３に並列されそれぞれ固定される。各天井パネル４１同士は、隣り合う供給口２７同士及び排出口２９同士を、受口と挿口とにより接続する。この接続構造により、別途配管構造を設けることなく、各パネル４１の流入空間２３及び流出空間２５を連通状態とさせる。
【００５５】
そして、図８に示すように、並列配置された各天井パネル４１の縁部に位置する天井パネル列には、それぞれの供給口２７及び排出口２９に、室外に配置される供給管６１及び排気管６３がそれぞれ接続される。なお、図８に示すように、天井面において、照明装置やその他の装置６５などが配置される箇所には、天井パネル４１を配設できないが、その箇所をバイパス管６７などにて供給口２７と排出口２９とを接続することで、各天井パネル４１の接続が行われる。また、供給管６１及び排気管６３の接続されない天井パネル列側の各天井パネル４１には、供給口２７及び排出口２９をキャップ部材（図示せず）などで閉塞する。
【００５６】
供給管６１には、図示しないが、室外の所定の場所に設置される熱源装置に配管接続される。熱源装置は、外気を取り込み、温度調整し、すなわち所望の温度に加温され、或いは冷却された空気を供給管６１へと送出する。熱源装置は、天井パネル４１が設置される建築物の規模や用途によって異なるが、例えばヒートポンプや吸収式冷温水機などの機器とされており、すなわち１つの熱源で冷房と暖房とを行うことが可能となる。
【００５７】
そして、熱源装置から供給管６１を介し供給口２７へと供給される温度制御された空気は、流入空間２３を介し各ハニカムの貫通孔２１を通過して、その空気の温度を表面板５７へと伝導させながら、各セル２０を通過し流出空間２５へと流れ、排出口２９から排気となる。また連結される他の天井パネル４１の供給口２７を介して隣接する天井パネル４１へと空気は送られ、各天井パネル４１の排出口２９から排気となる。排出口２９からは排気管６３へと空気は流れ、外部に排気される。なお、この排気管６３等に排気ファンを設け、強制排気としてもよい。
【００５８】
従ってこのように構成された天井パネル４１では、ハニカム構造体５５を内蔵することで、パネル構造として軽量化を図ることができ、また面荷重に強く、平坦度の高いパネルを得ることができ、従来のような温水を巡らせる配管構造などを内設することなく、各ハニカムが貫通孔２１で連通状態とされており、構造がシンプルなものとなり、所望の面積を有する内装材を構成できる。そして天井面だけではなく、室内の壁体の構造として構成し全面を被覆構成することができ、これら面全体が熱源から供給される空気により表面板５７より放射熱源となって、室内の暖房或いは冷房を行うことが可能となる。
【００５９】
また、この天井パネル４１では、アルミニウムなどの金属素材を用いることで、熱応答性が高く、暖房時、或いは冷房時に、供給される空気の温度にすばやく対応して表面板５７を所定の温度とし、室内の温度を放射熱によって制御可能となる。また、熱源となる流体を空気としたことで、構造体として堅牢な構造を不要とし、簡素な構成で実現でき、耐久性能を向上させることが可能となるとともに、室内壁面として容易に構築できる。
【００６０】
なお、この実施の形態の天井パネル４１においても、前述の実施形態と同様に、温度検出手段としての温度センサや湿度検出手段としての湿度センサを設ける構成とすることができる。すなわち、天井パネル４１を構成する表面板５７や流入空間２３、流出空間２５、ハニカム構造体５５の任意の箇所に温度センサを設け、また室内面となる表面板５７の任意の箇所に湿度センサを設け、これら温度センサ，湿度センサを制御手段に接続し、熱源装置の制御を行って天井パネル４１の温度制御を行うことが可能となる。これにより、天井パネル４１による放射温度が制御されて室内の温度制御が可能となり、また、パネル自体を温度制御することからパネル表面の結露が防止され、天井から滴が落ちる不具合を低減させることとなる。
【００６１】
また、前述した実施形態の壁面用パネル１と、上記実施形態の天井パネル４１とを組み合わせ室内面を構成することも可能であり、さらには、断熱材を用いず、表面と裏面とを熱放射面となるよう金属素材の面板で構成することで室内間仕切りを構築することも可能であり、これら各パネル１，４１を内装材とし、１つの熱源装置で、壁全面、天井面、さらには床面の建築物室内の全面をそれぞれ温度調整可能な構成とすることができ、この室内における冷暖房を可能とする。
【符号の説明】
【００６２】
１…建築物用内装材（壁面用パネル）
３，５７…表面板（板体本体）
１５…裏面板（断熱材）
１７…内部空間
１９，５５…ハニカム構造体
２０…セル
２０ａ…壁
２１…貫通孔
２３…流入空間
２５…流出空間
２７…供給口
２９…排出口
４１…建築物用内装材（天井パネル）
【図１】
2011226205.tif 000003
【図２】
2011226205.tif 000004
【図３】
2011226205.tif 000005
【図４】
2011226205.tif 000006
【図５】
2011226205.tif 000007
【図６】
2011226205.tif 000008
【図７】
2011226205.tif 000009
【図８】
2011226205.tif 000010
【図９】
2011226205.tif 000011